(57)【要約】      （修正有）【課題】光学ファインダに電子ビューファインダを重畳表示させ、光学ファインダが明るい状況でも、消費電力を上げることなく、電子ビューファインダの視認性を向上させることが可能な撮影装置を提供する。【解決手段】光学ファインダと、被写体像を撮像する撮像手段１０６と、撮像手段１０６の結像面と等価の結像面に置かれた焦点検出板１２０と、焦点検出板１２０の結像面の輝度、色等を検出するための測光センサ１３０と、光学ファインダを構成する接眼レンズ１２１の光路に配置された光路変更部材１２３によって曲げられた光路上に配置され、撮像手段１０６にて得られた撮像画像を表示する電子ビューファインダと、撮像レンズ１０５からの入射光量を調整可能な手段１０５ｂ、１４０と、光学ファインダに電子ビューファインダの情報を重畳表示させる際に撮像レンズ１０５からの入射光量を調整する構成とした。【選択図】図２
2015232665.tif 000002
【特許請求の範囲】
【請求項１】
撮影レンズ（１０５）によって結像された被写体像を観察するための光学ファインダと、
前記撮影レンズ（１０５）によって結像された被写体像を撮像する撮像手段（１０６）と、
前記撮像手段（１０６）の結像面と等価の結像面に置かれた焦点検出板（１２０）と、
前記焦点検出板（１２０）の結像面の輝度、色を検出するための測光センサ（１３０）と、
前記光学ファインダを構成する接眼レンズ（１２１）の光路に配置された光路変更部材（１２３）によって曲げられた光路上に配置され、且つ前記撮像手段（１０６）にて得られた撮像画像を表示する電子ビューファインダと、
前記撮像レンズ（１０５）からの入射光量を調整可能な手段（１０５ｂ、１４０）と、
を備えた撮影装置であって、
前記光学ファインダに前記電子ビューファインダの情報を重畳表示させる際に撮像レンズ（１０５）からの入射光量を調整することを特徴とする撮影装置。
【請求項２】
前記測光センサ（１３０）の検出情報をもとに撮像レンズ（１０５）からの入射光量を調整することを特徴とする請求項１に記載の撮影装置。
【請求項３】
前記撮像レンズ（１０５）からの入射光量を調整可能な手段は、前記撮影レンズ（１０５）の開口絞り（１０５ｂ）であることを特徴とする請求項１又は請求項２に記載の撮影装置。
【請求項４】
前記撮像レンズ（１０５）からの入射光量を調整可能な手段は、前記光学ファインダ内に配置された表示素子（１４０）であって、前記表示素子（１４０）は、撮像レンズ（１０５）からの光を透過させる透過領域と、光を透過させない非透過領域を有していることを特徴とする請求項１又は請求項２に記載の撮影装置。
【発明の詳細な説明】
【技術分野】
【０００１】
本発明は、撮影装置のファインダに関するものであり、特に、光学ファインダと電子ビューファインダの２つのファインダ機能を有し、光学ファインダと電子ビューファインダの一方、あるいは、両方を同時に撮影者が視認可能である一眼レフカメラに関するものである。
【背景技術】
【０００２】
近年では、一眼レフカメラタイプのカメラにおいても、撮像素子の連続的な撮影画像を外部表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避してしまうために、カメラの撮影者は光学ファインダ像を視認できなくなり、代わりにカメラ背面に配置された外部表示部で被写界像を見ることになる。
【０００３】
しかしながら、光学ファインダと外部表示部でカメラを覗く姿勢が変わるのは煩わしい上、外部表示部を見ながらの一眼レフカメラの撮影は、カメラを保持する腕の脇をしめることが難しく、手振れを起し易い不安定な姿勢となる。とりわけ、三脚を使用しない手持ちでの望遠レンズ撮影は、非実用的なものであった。
【０００４】
この問題に対し、従来より、光学ファインダと電子ビューファインダの切り替えを可能とするカメラの提案がなされている。光学ファインダと電子ビューファインダとが同じ光路において切り替えが可能となれば、電子ビューファインダを使用するライブビュー表示撮影、さらには動画撮影においてもカメラのファインダを覗く撮影者の姿勢は、通常の光学ファインダを用いた状態と変わらないため、カメラを理想的な構えで保持し、撮影を行うことが可能となる。また、光学ファインダに電子ビューファインダ表示を重畳表示させることで、撮影情報、撮影画像などを光学ファインダ内で確認することが可能である。
【０００５】
光学ファインダと電子ビューファインダの両方を、カメラの撮影者が観察可能とする構成として最も現実的な手段は、光学ファインダの一部材であるペンタプリズムの射出面と接眼レンズとの間にハーフミラー（ハーフプリズム）を配置し、光学ファインダの光路途中から電子ビューファインダの表示光路を導入するものが考えられる。また、ハーフミラー面の反射だけではなく、２つの光路を合成するプリズムに全反射面を設定すると、ファインダ光学系の光量、つまりは撮影被写体像の明るさが低下しないという利点がある。
【０００６】
特許文献１においては、表示装置（電子ビューファインダのディスプレイとも解釈できる）の表示情報を２つの光路を合成する光学部材（プリズム）内部で反射させ光学ファインダの光路内に導き、被写体像と同一視野で観察可能なファインダ光学系が開示されている。
【０００７】
特許文献２では、電子ビューファインダの表示に関して、撮影範囲中の表示画面に、撮像部の合焦情報またはコントラスト情報に基づき、合焦対象物が含まれた領域の拡大表示部分を子画面にて表示する表示方法が開示されている。
【先行技術文献】
【特許文献】
【０００８】
【特許文献１】特開２００７−２６４０２９号公報
【特許文献２】特開２０１０−２２６４９６号公報
【発明の概要】
【発明が解決しようとする課題】
【０００９】
しかしながら、上述の特許文献に開示された従来技術では、光学ファインダに電子ビューファインダの撮像情報、特に撮影画像を重畳表示する際に、電子ビューファインダの輝度が不十分で、見えづらいシーンが発生する懸念がある。例えば、日中の屋外では、レンズからの入射光により光学ファインダ内は明るくなるため、電子ビューファインダの表示は、見えづらくなってしまう。また、電子ビューファインダの視認性を良くするために輝度を高くすると、消費電力が大きくなってしまう懸念がある。
【００１０】
そこで、本発明の目的は、光学ファインダに電子ビューファインダを重畳表示させる際に、光学ファインダが明るい状況でも、消費電力を上げることなく、電子ビューファインダの視認性を向上させることが可能な撮影装置を提供することである。
【課題を解決するための手段】
【００１１】
上記目的を達成するために、本発明に係る撮影装置の構成は、
撮影レンズ（１０５）によって結像された被写体像を観察するための光学ファインダと、
前記撮影レンズ（１０５）によって結像された被写体像を撮像する撮像手段（１０６）と、
前記撮像手段（１０６）の結像面と等価の結像面に置かれた焦点検出板（１２０）と、
前記焦点検出板（１２０）の結像面の輝度、色等を検出するための測光センサ（１３０）と、
前記光学ファインダを構成する接眼レンズ（１２１）の光路に配置された光路変更部材（１２３）によって曲げられた光路上に配置され、且つ前記撮像手段（１０６）にて得られた撮像画像を表示する電子ビューファインダと、
前記撮像レンズ（１０５）からの入射光量を調整可能な手段（１０５ｂ、１４０）と、
を備えた撮影装置であって、
前記光学ファインダに前記電子ビューファインダの情報を重畳表示させる際に撮像レンズ（１０５）からの入射光量を調整することを特徴とする。
【発明の効果】
【００１２】
本発明によれば、光学ファインダに電子ビューファインダを重畳表示させる際に光学ファインダが明るい状況でも、消費電力を上げることなく、電子ビューファインダの視認性を向上させることが可能な撮影装置を提供することができる。
【図面の簡単な説明】
【００１３】
【図１】本発明の第１の実施例における重畳表示モードの概略を示すフローチャートである。
【図２】カメラの構成概略図である。
【図３】カメラの電気ブロック図である。
【図４】本発明の第１の実施例におけるファインダ視野図である。
【図５】本発明の第２の実施例における重畳表示モードの概略を示すフローチャートである。
【図６】本発明の第２の実施例におけるファインダ視野図である。
【発明を実施するための形態】
【００１４】
以下に、本発明の好ましい実施の形態を、添付の図面に基づいて詳細に説明する。
【実施例１】
【００１５】
以下、本発明の第１の実施形態を図１から図４に基づいて詳細に説明する。なお、図１〜図４において同一の要素部品には同じ番号がふってある。図２は、本発明を適用した撮影装置としてのデジタル一眼レフカメラの概略構成を示す図である。
【００１６】
図２において、１０１はＣＰＵ（中央演算処理装置）であり、本カメラの動作は、このＣＰＵ１０１により制御される。１０５は撮影レンズであり、被写体光を撮像素子（撮像手段）であるＣＣＤ１０６上に結像させている。なお、図２に書かれた撮影レンズ１０５は、便宜的に１枚のレンズ１０５ａと開口絞り１０５ｂで表現しているが、実際には複数のレンズから成り立っている。
【００１７】
１２０は、撮影レンズ１０５のＣＣＤ１０６結像面と等価の結像面（一次結像面）に置かれた焦点検出板（以降、ピント板と称する）であり、被写体像は主ミラー１２３で反射され、ピント板１２０上に一次結像する。撮影者は、この被写体像をペンタプリズム１２８、さらには接眼レンズ群１２１を通じて見ることができる、いわゆるＴＴＬ方式の光学ファインダ構成となっている。一方、主ミラー１２３は、半透過ミラーとなっており、主ミラー１２３を透過した一部の光束は、サブミラー１２２を通じて焦点検出手段である焦点検出ユニット１１９に導かれ、周知の位相差検出方式の焦点検出動作を行う。焦点検出手段は、撮影画面の複数の領域について焦点検出が可能となっている。
【００１８】
ファインダ光学系内のうちピント板１２０の近傍には、高分子分散型液晶パネルにより構成されるファインダ内表示パネル（表示素子：以下、ＰＮ液晶パネルという）１４０が配置されている。該ＰＮ液晶パネル１４０は、焦点検出動作で合焦状態が得られた焦点検出領域などを表示することが可能である。ＰＮ液晶パネル１４０の動作原理を簡単に説明するが、ＰＮ液晶は、電圧を印加しないと液晶内部の材料の屈折率が様々に異なるためにここに入射した光を散乱し、外観上は非透過（不透明）の状態となる。ＰＮ液晶に電圧を印加すると、液晶内部の材料の屈折率が一様となり、外観上、透過（透明）の状態となる。つまり、合焦状態の焦点検出領域表示部に対して通電を遮断することで、該該焦点検出領域表示部のみが不透明（黒）となる。このようにして、ファインダ内に、非透過部により焦点検出領域などを表示させることが可能となっている。
【００１９】
１３０は、縦横２００×３００画素のＣＣＤからなる測光センサであり、測光レンズ１２９によってピント板１２０に結像した被写体像を複数の領域に分けた各々の輝度、色を検出することが可能となっている。また、測光センサ１３０の出力を用いてＣＰＵ１０１は顔認識、および色認識から被写体が人物か否かの判定を行うことができる。また、この測光センサ１３０も撮像手段と言うことができる。
【００２０】
撮影者がレリーズＳＷ１１４（不図示）を押すと、主ミラー１２３は撮影レンズ１０５の光路外に退避する。一方、撮影レンズ１０５によって集光された被写体光はフォーカルプレーンシャッタ１３３にてその光量制御がなされ、ＣＣＤ（撮像素子）１０６によって被写体像として光電変換処理表示された後、撮影済み画像として記録メディアに記録されるとともに、ＴＦＴ方式ディスプレイの外部表示部１１３に撮影画像の表示がなされる。これが通常の静止画撮影であるが、本カメラはそれ以外にライブビュー撮影、動画撮影も可能となっている。
【００２１】
光学ファインダ（ＯＶＦ）を備えた一般的な一眼レフカメラでは、前述のように撮影時に主ミラー１２３が撮影レンズ１０５の光路外に退避すると光学ファインダは真っ暗になり、被写体を見ることができなくなる。これに対して、本実施例の撮影装置では、光学ファインダ光路の途中に電子ビューファインダ（ＥＶＦ）を配置しているので、主ミラー１２３が撮影光路外に退避しても被写体像の確認が可能となっている。つまり、光学ファインダを覗くのと同じファインダ光学系の中で被写体観察を行うことができ、ライブビュー撮影を可能にしている。また、後述する重畳表示モードであれば、光学ファインダ（ＯＶＦ）に電子ビューファインダ（ＥＶＦ）表示を重畳表示させることも可能である。
【００２２】
ライブビュー撮影とは、主ミラー１２３を撮影光路から退避させ、シャッタ１３３を開放状態で、ＣＣＤ１０６が連続的に撮像を行い、その画像をカメラ背面部にある外部表示部１１３、あるいは電子ビューファインダの小型ＴＦＴ方式ディスプレイである内部表示部（表示装置）１２４のいずれか、あるいは両方において連続して画像表示を行い、この表示を観察しながら撮影者は任意のタイミングで静止画撮影を行うものである。
【００２３】
さらには、ライブビュー撮影状態から任意のタイミングで動画フォーマットへの変換、記録を行うのが動画撮影である。
【００２４】
次に、電子ビューファインダに関する光学構成について、以下の説明を行う。図２において、１２６、１２７は、それぞれ表示プリズム１、表示プリズム２である。表示プリズム１と表示プリズム２は、その間に薄い空気層を伴った状態で保持がなされている。表示プリズム１の一方の面１２６ｂはペンタプリズム１２８に接合されており、接合面１２６ｂはハーフミラーになっている。内部表示部１２４に表示された画像は、表示プリズム１の表示プリズム２に対抗する面１２６ａにて全反射し、ペンタプリズム１２８へ接合されているハーフミラー面１２６ｂにてその一部の光が反射し、撮影者の眼に入射する。
【００２５】
ライブビュー撮影時、あるいは動画撮影時は、光路変更手段としての主ミラー１２３が撮影光路外に退避しているため、撮影レンズ１０５からの被写体光は撮影者の眼に到達しないため、内部表示部１２４に表示された被写体像のみを撮影者は観察することができる。また、被写体からの光は、ハーフミラー面１２６ｂにてその光量の一部が減衰するが、その多くの光は透過し、表示用の全反射面１２６ａでも全反射は起きずに、そのまま撮影者の眼に到達する。
【００２６】
さらに、重畳表示モード時には、光路変更手段としての主ミラー１２３は撮影光路内に位置しており、撮影レンズ１０５からの被写体光と、内部表示部１２４に表示された情報が重畳されて、撮影者の眼に到達することになる。
【００２７】
ここで、ハーフミラー面１２６ｂは、光学ファインダの光量減を実用上最小限としたいので、透過率が８０％前後、内部表示部１２４の光は２０％反射（８０％減衰）前後になるように設定し、電子ビューファインダの光量減衰分は、内部表示部１２４であるＴＦＴバックライト輝度を明るくすることで、光学ファインダと電子ビューファインダの光量バランスをとっている。
【００２８】
光学ファインダは、撮影レンズ１０５によってピント板１２０に投影された被写体像を接眼レンズ群１２１で拡大して見るものである。一方、電子ビューファインダの場合、接眼レンズ群１２１は光学ファインダと共用しており、該接眼レンズ群１２１からピント板までの光路長よりも短い光路長位置に配置された内部表示部１２４の視度をピント板１２０と一致させるためにＥＶＦレンズ１２５が配置されている。
【００２９】
以上の構成により、本カメラの撮影者は、通常の静止画撮影時には通常の光学ファインダにて被写体の観察を行うが、ライブビュー撮影、あるいは動画撮影時においても、光学ファインダを覗いていた同じ姿勢のままに、内部表示部１２４による表示、いわゆる電子ビューファインダを用いた被写体観察が可能となっている。また、重畳表示モード時には、光学ファインダと、電子ビューファインダの表示を重畳表示させることも可能となっている。
【００３０】
また、ＣＣＤ１０６にて連続的に撮像されている画像を内部表示部１２４に表示するか、外部表示部１１３に表示をするかは、カメラが自動的に選択を行うようになっている。撮影者がカメラのファインダを覗いているか否かを検知するセンサ（不図示）が接眼レンズ１２１の近傍に設けられており、その出力に応じて、撮影者がカメラのファインダを覗いていれば撮影画像は内部表示部１２４に表示がなされ、撮影者がカメラのファインダを覗いていない場合には、外部表示部１１３に画像表示がなされる。
【００３１】
また、光路変更手段としての主ミラー１２３が撮影光路内に位置している場合、つまり、静止画撮影状態で光学式ファインダが有効になっている場合でも、内部表示部１２４に焦点検出領域や、電池残量、ＩＳＯ感度値などの情報をキャラクタ、あるいは数字で表示すれば、撮影被写体の光学像に重畳させてスーパーインポーズ表示を行うことが可能である。
【００３２】
図３は、本発明の実施例１によるデジタル一眼レフカメラの概略構成を示す電気ブロック図である。図３において、１０１は前述のＣＰＵ（中央演算処理装置）であり、その内部には不揮発性メモリであるＥＥＰＲＯＭ１０１ａが構成されている。また、ＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は、有効画素数約１０００万画素（３８８８×２５９２画素）を有している。
【００３３】
カメラの外装背面部、ファインダ内にそれぞれ設けられた外部表示部１１３、内部表示部１２４は、ＣＣＤ１０６にて撮像された画像を縦横各々間引き処理された画像を表示することのできるＴＦＴカラー液晶である。表示制御部１１１は、ＣＣＤ１０６にて撮像された静止画像、動画像の外部表示部１１３、内部表示部１２４への表示の駆動を行っている。モータ制御部１２５は、ＣＰＵ１０１の指示を受けてミラー駆動を始め、カメラ内部の複数のモータを制御している。また、ＤＣ／ＤＣコンバータ１１７には電池１１６から電源が供給されている。
【００３４】
ＣＰＵ１０１は、ＲＯＭ１０２内の制御プログラムに基づいて各種制御を行う。これらの制御の中には、画像処理部１０８から出力された撮影画像信号を読み込み、ＲＡＭ１０３へ転送を行う処理、同様に、ＲＡＭ１０３より表示制御部１１１へデータを転送する処理、また、画像データをＪＰＥＧ圧縮し、ファイル形式でデータ格納手段１０４へ格納する処理がある。動画データの場合も同様な処理を経て、ＭＯＶ形式のファイルに圧縮され、データ格納手段１０４へ格納される。
【００３５】
さらに、ＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。
【００３６】
１１９は、前述の焦点検出用の一対のラインＣＣＤセンサを含んだ焦点検出制御部であり、ラインセンサから得た電圧をＡ／Ｄ変換し、ＣＰＵに送る。また、ＣＰＵ１０１の指示のもとに、焦点検出制御部１１９はラインセンサの蓄積時間とＡＧＣ（オートゲインコントロール）の制御も行う。
【００３７】
また、レリーズＳＷ１１４の操作に伴う撮影動作の指示、各素子への電源の供給をコントロールするための制御信号をＤＣ／ＤＣコンバータ１１７に対して出力する等の様々な処理もＣＰＵ１０１の制御の基に行われている。
【００３８】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、または画像圧縮処理、解凍処理のための画像専用ワークエリアとして使用される。
【００３９】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００４０】
データ格納手段１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。
【００４１】
ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路を有しており、さらには外部表示部１１３、内部表示部１２４にライブビュー表示、および動画撮影を行うために、ＣＰＵ１０１からの解像度変換指示に従って、画素間引き処理を行うための回路等を含んでいる。
【００４２】
また、画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。
【００４３】
表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取り、ＲＧＢデジタル信号へ変換した後、外部表示部１１３、あるいは内部表示部１２４へ出力する処理を行う。
【００４４】
レリーズＳＷ１１４は、撮影動作の開始を指示するためのものである。このレリーズＳＷ１１４は不図示のカメラ操作部材であるレリーズボタンの押下圧によって２段階のスイッチポジションを有しており、１段目のポジション（ＳＷ１  ＯＮ）の検出で、焦点検出動作、ホワイトバランス、測光等のカメラ設定のロック動作が行われ、２段目のポジション（ＳＷ２  ＯＮ）の検出で、被写体画像信号の取り込み動作が行われる。
【００４５】
測光制御部１３２は、ＣＰＵ１０１の指示に従って、ＣＣＤからなる測光センサ１３０を駆動制御し、被写体輝度信号を取り込み、ＣＰＵ１０１にデータを送る。
【００４６】
基本的な測光動作としては、測光センサ１３０の受光面の画素において発生した輝度信号はＣＰＵ１０１にて各々Ａ／Ｄ変換が行われ、各々８ビットのデジタル信号となる。これに撮影レンズの明るさを示すＦｎｏ．（実効Ｆｎｏ．）の値の補正、センサ出力信号のバラツキ補正（レベル・ゲインの調整）、さらには撮影レンズ１０５から送られてくる情報等から測光補正が行われ、最終的に被写界輝度信号値を得ることができる。
【００４７】
これらの情報に基づいてカメラの最適露出演算が行われ、カメラのシャッタスピード、撮影レンズの絞りを最適に制御することで最適な露光を得ることができる。また、前述の通り、測光センサ１３０は露出制御のみならず、測光センサ１３０が出力する多数の被写界輝度信号、色信号に基づいて、ＣＰＵ１０１の演算処理によって被写体検出、ひいては撮影シーン判別が可能である。また、１１６はリチャージャブルの２次電池あるいは乾電池であり、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。
【００４８】
このＤＣ／ＤＣコンバータ１１７は、ＣＰＵ１０１からの制御信号により、各々の電圧供給の開始、停止を制御できるようになっている。
【００４９】
次に、重畳表示モードにおけるカメラの撮影動作について、図１のフローチャートと図４のファインダ視野図を用いて詳細な説明を行う。
【００５０】
図１のフローチャートはカメラの撮影動作を説明したものである。ステップＳ２００にてカメラの撮影動作が開始されると、ステップＳ２０１にてＣＰＵ１０１は重畳表示モードに設定されているか否かの検出を行う。ステップ２０１にてカメラが重畳表示モードに設定されていなければ、ステップＳ２３０にて通常の撮影モードでの動作を行う。通常の撮影モードの動作は、レリーズＳＷ１１４のＯＮ（ＳＷ１  ＯＮ、ＳＷ２  ＯＮ）から始まり、静止画撮影、記録というデジタル一眼レフカメラとして一般的なシーケンスとなっており、本発明と直接の関係はないので省略する。
【００５１】
一方、ステップＳ２０１にてカメラが重畳表示モードに設定されている場合に関して、説明する。ステップＳ２０２にて、レリーズＳＷ１１４のＳＷ１がＯＮされると、前述したように、ステップＳ２０３の焦点検出動作、ホワイトバランス、測光等のカメラ設定のロック動作が行われる。
【００５２】
続いて、ステップＳ２０４において、レリーズＳＷ１１４のＳＷ２がＯＮされると、ステップＳ２０５にて、撮影動作が行われる。ステップＳ２０５による撮影後に、重畳表示モードがＯＮの場合、焦点検出、測光動作をもとにステップＳ２０６で撮影範囲内の合焦領域、測光情報の分析が行われる。ステップＳ２０７で測光情報の分析により、撮影範囲内にｎＢｖ以下のエリアがｋ以上あると、ステップＳ２０８にて低輝度範囲を設定する。その後、ステップＳ２０９で撮影画像をＥＶＦ表示する。撮影レンズ１０５からの入射光の影響が少ない状態で重畳表示させることが可能である。ＥＶＦの撮影画像表示は、一定時間もしくは、レリーズＳＷ１１４などが再度ＯＮされると、ＥＶＦ非表示となり終了する（ステップＳ２１０）。
【００５３】
一方、ステップＳ２０７で撮影範囲内にｎＢｖ以下のエリアがｋ以上ない場合は、ステップＳ２２０でｎＢｖ以下のエリアがｋ以上あるように撮影レンズ１０５の開口絞り１０５ｂの絞り値を決定する。続いて、ステップＳ２２１にて、レンズの開口絞り駆動を実行した後にステップＳ２０８にてＥＶＦ表示範囲を設定して、ステップＳ２０９で撮影画像をＥＶＦ表示する。レンズ絞りおよびＥＶＦの撮影画像表示は、一定時間もしくは、レリーズＳＷ１１４などが再度ＯＮされると、レンズ絞り開放、ＥＶＦ非表示となり終了する（ステップＳ２１０）。ステップＳ２０７における低輝度領域を判別する際のｎ、ｋの変数であるが、本実施例では、カメラに自動設定されているが、撮影者の視認性の好みなどで、任意に設定することも可能である。
【００５４】
本発明の実施例１における重畳表示モードのファインダ視野図を図４に示す。図４（ａ）は、ステップＳ２０６における撮影時のファインダ視野図、図４（ｂ）は、ステップＳ２２１のレレンズ絞りが実行された状態でのステップＳ２０９における撮影画像のＥＶＦ重畳表示がなされているファインダ視野図である。
【００５５】
図４（ａ）に示すように、日中の屋外というような状況であると、撮影レンズ１０５からの入射光量が多いため、このままＥＶＦ表示を重畳させると、視認性が低下する。そこで合焦領域、測光情報の分析（Ｓ２０６）から、ＥＶＦ表示させるために十分な低輝度範囲がない場合（Ｓ２０７）には、低輝度範囲を確保するためのレンズ絞り値を決定して（Ｓ２２０）、レンズ絞り駆動を実行して（Ｓ２２１）、撮影レンズ１０５からの入射光を制限する。図４（ｂ）にレンズ絞り駆動が実行されている状態でＥＶＦ表示が重畳されているファインダ視野図を示す。３００は、撮影画像のＥＶＦ表示であり、３１０は主被写体を指している。このように、レンズ絞り駆動によりファインダ視野内を低輝度にした状態で、主被写体３１０の領域以外に撮影画像のＥＶＦ表示３００を重畳させることで、ＥＶＦ表示の視認性が向上する。また、ＥＶＦ表示による撮影画像確認時も、主ミラーが撮影光路外に退避していないので、光学ファインダ像も視認することが可能である。
【００５６】
本発明のように、ＥＶＦの撮影画像表示を光学ファインダに重畳させることで、撮影画像の確認時に光学ファインダ像は消失していないので、次回撮影の予備動作や、構図の確認などをファインダを覗いたまま行うことが可能となっている。
【実施例２】
【００５７】
以下、図５、図６を参照して、本発明の第２の実施例にについて説明する。ただし、本発明の第２の実施例による撮影装置の構成は、第１の実施例と共通であるため、詳細な説明を省略する。本発明の第２の実施例による図５のフローチャートと図６のファインダ視野図を用いて詳細な説明を行う。
【００５８】
図５において、ステップＳ３２０、Ｓ３２１以外は、第１の実施例と同様であるため、詳細な説明を省略する。ステップＳ２０７で撮影範囲内にｎＢｖ以下のエリアがｋ以上ない場合は、ステップＳ３２０でｎＢｖ以下のエリアがｋ以上になるようにＰＮ液晶パネル１４０の非透過領域を設定して、ステップＳ３２１で該当領域を非透過にする。続いて、ステップＳ２０８にてＥＶＦ表示範囲を設定して、ステップＳ２０９で撮影画像をＥＶＦ表示する。ＰＮ液晶パネル１４０の非透過表示およびＥＶＦの撮影画像表示は、一定時間もしくは、レリーズＳＷ１１４などが再度ＯＮされると、ＰＮ液晶パネル１４０の透過表示、ＥＶＦ非表示となり終了する（ステップＳ２１０）。
【００５９】
図６（ａ）は、ステップ３２１におけるファインダ視野図である。図６（ａ）に示すように、日中の屋外などでＥＶＦ表示させるために低輝度領域が確保できない場合には、主被写体４１０外の領域４２０（斜線部）をＰＮ液晶パネル１４０により非透過にすることで低輝度領域を確保することができる。
【００６０】
図６（ｂ）は、ステップＳ２０８におけるファインダ視野図である。ステップＳ３２１でＰＮ液晶パネル１４０を非透過にした領域にＥＶＦ表示を重畳させることで、視認性のよい撮影画像を確認することが可能である。
【００６１】
以上、本発明の好ましい実施形態について説明したが、本発明はこれらの実施形態に限定されず、その要旨の範囲内で種々の変形及び変更が可能である。
【符号の説明】
【００６２】
１０１  ＣＰＵ、１０５  撮影レンズ、１０５ｂ  撮影レンズ開口絞り、
１０６  ＣＣＤ、１２０  ピント板（焦点検出板）、１２１  接眼レンズ、
１２３  主ミラー、１２４  内部表示部、１２８  ペンタプリズム、
１３０  測光センサ、１４０  表示素子（ＰＮ液晶パネル）
【図１】
2015232665.tif 000003
【図２】
2015232665.tif 000004
【図３】
2015232665.tif 000005
【図４】
2015232665.tif 000006
【図５】
2015232665.tif 000007
【図６】
2015232665.tif 000008